(57)【特許請求の範囲】
【請求項１】
原稿を主走査方向に線状に照明する光源手段を有する光源ユニットと、
副走査方向に移動可能に設けられ、前記光源ユニットが取付けられる筐体と、
前記筐体を副走査方向に導くガイド軸に移動可能に取付けられて、前記筐体を副走査方向に移動可能にする軸受け部材と、
を備え、前記光源手段により照らされた原稿の画像情報を読取る画像読取装置において、
前記筐体と前記軸受け部材とを接続する接続部材を備え、
前記接続部材は、前記軸受け部材に対して位置調整されて前記軸受け部材に組み付けられることが可能であり、第１の締結部材によって前記軸受け部材に締結され、
前記筐体は、前記筐体及び前記接続部材に設けられた位置決め機構により前記接続部材に対して一意的に位置決めされ、第２の締結部材によって前記接続部材に締結されることを特徴とする画像読取装置。
【請求項２】
前記第１及び第２の締結部材はビス部材であり、
前記接続部材は前記軸受け部材側から締め付けられたビス部材により前記軸受け部材に締結され、
前記筐体は前記筐体側から締め付けられたビス部材により前記接続部材に締結されることを特徴とする請求項１に記載の画像読取装置。
【請求項３】
前記光源ユニットは、前記光源ユニット及び前記筐体に設けられた位置決め機構により前記筐体に対して一意的に位置決めされることを特徴とする請求項１または２に記載の画像読取装置。
【請求項４】
前記光源手段は、発光素子と、前記発光素子の光を原稿へと導く導光体と、を有し、
前記光源ユニットは、
前記光源手段と、
前記光源手段により照らされた原稿の反射光を結像する結像手段と、
前記結像手段により結像された前記反射光を入射させて原稿の画像情報を読取る光電変換手段と、を備え、それらを収納する前記筐体とからなることを特徴とする請求項１乃至３
のいずれか１項に記載の画像読取装置。
【請求項５】
請求項１乃至４のいずれか１項に記載の画像読取装置と、
前記画像読取装置により読取られた画像情報を記録媒体に形成する画像形成手段と、
を備えることを特徴とする画像形成装置。
【請求項６】
原稿を主走査方向に線状に照明する光源手段を有し、副走査方向に移動可能に設けられた筐体と、
前記筐体を副走査方向に導くガイド軸に移動可能に取付けられて、前記筐体を副走査方向に移動可能にする軸受け部材と、
を備え、前記光源手段により照らされた原稿の画像情報を読取る画像読取装置において、
前記筐体と前記軸受け部材とを接続する接続部材を備え、
前記接続部材は、前記軸受け部材に対して位置調整されて前記軸受け部材に組み付けられることが可能であり、第１の締結部材によって前記軸受け部材に締結され、
前記筐体は、前記筐体及び前記接続部材に設けられた位置決め機構により前記接続部材に対して一意的に位置決めされ、第２の締結部材によって前記接続部材に締結されることを特徴とする画像読取装置。
【発明の詳細な説明】
【０００１】
【発明の属する技術分野】
本発明は、例えば、スキャナ、複写機、プリンタ、あるいは、ファクシミリ装置などの、原稿の画像を読み取ったり、シート上に画像を形成する、画像読取装置や画像形成装置に関するものである。
【０００２】
【従来の技術】
従来、複写機や、複写機能とファクシミリ機能を有する複合機、オートドキュメントフィーダ（ＡＤＦ）を有するイメージスキャナとして、原稿をガラス面上に固定して走査する機能と光学系を固定して原稿を移動させながら走査する（流し読み）機能の双方を持った装置が提案されている。
【０００３】
たとえば、図１１に示すように画像読取部において画像読取手段である密着型イメージセンサ（ＣＩＳ）１がガラス２の下に配置されている。ＣＩＳ１を副走査方向に移動させながら、ガラス２上に載置された静止原稿Ｄ１を読み取り、あるいは第２ガラス２ａでは静止するＣＩＳ１が移動する原稿Ｄ２を読み取るようになっている。
【０００４】
ここで、従来の密着型イメージセンサの構成例を説明する。図１２はいわゆる導光体光源としてＬＥＤ３とこのＬＥＤ３からの光を原稿へと導く導光体４を含んでいる。ＬＥＤ３は導光体４の長手方向のいずれかの端部に固定されており（図示例では手前側に１個設けられる）、ＬＥＤ３から発せられた光は導光体４内で反射を繰り返しながら進行することで、導光体４の全長から出射する。
【０００５】
導光体４から出射した光は、図１２（Ｂ）のようにガラス２上に載置された静止原稿に照射され、その反射光がセルフォックレンズアレイ５を介してＣＣＤ等の１次元受光素子アレイ６に結像するようになっている。なお、これらのイメージセンサ構成部材は、枠体７内に配置構成される。
【０００６】
あるいはまた、従来の密着型イメージセンサの構成例として、光源として複数のＬＥＤを列設したＬＥＤアレイを持ち、セルフォックレンズアレイの両側にそのＬＥＤアレイが一対配置されるものが知られている。
【０００７】
【発明が解決しようとする課題】
しかしながら、上記のような従来技術の場合には、下記のような問題が生じていた。
【０００８】
イメージセンサ構成部材を収容している枠体７は、図１３に示すように、キャリッジ８に取付けられてＣＩＳ１を構成しており、キャリッジ８は軸受け９に組み付けられることにより、ＣＩＳ１は、ガイド軸に沿って副走査方向に移動することが可能となる。
【０００９】
ここで、キャリッジ８と軸受け９との組み付けは、製造過程での装置の組立工程においてガイド軸に対して、ＣＩＳ１の主走査方向が直交するように直角度を調整されている。
【００１０】
しかしながら、メンテナンス時において、キャリッジ８を軸受け９から外さなければならない場合や、誤ってキャリッジ８を軸受け９から外してしまった場合においては、メンテナンス終了時の装置の組立の際に直角度を調整するには、治具を必要とし、大変困難であった。
【００１１】
また、メンテナンス毎の装置の組立の際に直角度を調整するので、メンテナンス前後で画像の幾何学的な精度が低下する可能性がある。
【００１２】
本発明は上記の従来技術の課題を解決するためになされたもので、その目的とするところは、メンテナンス時の作業性・組立性を向上させるとともに画像の幾何学的な精度を向上させた信頼性の高い画像読取装置及び画像形成装置を提供することにある。
【００１３】
【課題を解決するための手段】
上記目的を達成するために本発明にあっては、
原稿を主走査方向に線状に照明する光源手段を有する光源ユニットと、
副走査方向に移動可能に設けられ、前記光源ユニットが取付けられる筐体と、
前記筐体を副走査方向に導くガイド軸に移動可能に取付けられて、前記筐体を副走査方向に移動可能にする軸受け部材と、
を備え、前記光源手段により照らされた原稿の画像情報を読取る画像読取装置において、
前記筐体と前記軸受け部材とを接続する接続部材を備え、
前記接続部材は、前記軸受け部材に対して位置調整されて前記軸受け部材に組み付けられることが可能であり、第１の締結部材によって前記軸受け部材に締結され、
前記筐体は、前記筐体及び前記接続部材に設けられた位置決め機構により前記接続部材に対して一意的に位置決めされ、第２の締結部材によって前記接続部材に締結されることを特徴とする。
【００１６】
前記第１及び第２の締結部材はビス部材であり、
前記接続部材は前記軸受け部材側から締め付けられたビス部材により前記軸受け部材に締結され、
前記筐体は前記筐体側から締め付けられたビス部材により前記接続部材に締結されることも好適である。
【００１７】
前記光源ユニットは、前記光源ユニット及び前記筐体に設けられた位置決め機構により前記筐体に対して一意的に位置決めされることも好適である。
【００１８】
前記光源手段は、発光素子と、前記発光素子の光を原稿へと導く導光体と、を有し、
前記光源ユニットは、
前記光源手段と、
前記光源手段により照らされた原稿の反射光を結像する結像手段と、
前記結像手段により結像された前記反射光を入射させて原稿の画像情報を読取る光電変換手段と、を備え、それらを収納する前記筐体とからなることも好適である。
また、原稿を主走査方向に線状に照明する光源手段を有し、副走査方向に移動可能に設けられた筐体と、
前記筐体を副走査方向に導くガイド軸に移動可能に取付けられて、前記筐体を副走査方向に移動可能にする軸受け部材と、
を備え、前記光源手段により照らされた原稿の画像情報を読取る画像読取装置において、
前記筐体と前記軸受け部材とを接続する接続部材を備え、
前記接続部材は、前記軸受け部材に対して位置調整されて前記軸受け部材に組み付けられることが可能であり、第１の締結部材によって前記軸受け部材に締結され、
前記筐体は、前記筐体及び前記接続部材に設けられた位置決め機構により前記接続部材に対して一意的に位置決めされ、第２の締結部材によって前記接続部材に締結されることを特徴とする。
【００１９】
画像形成装置にあっては、上記記載の画像読取装置と、
前記画像読取装置により読取られた画像情報を記録媒体に形成する画像形成手段と、
を備えることを特徴とする。
【００２０】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２１】
この実施の形態は本発明を画像形成装置の一例として複写機に適用したもので、図１は本実施の形態に係る複写機を前方から見た透視図、図２はその複写機の斜視図、図３は画像読取部の拡大透視図である。
【００２２】
まず、複写機全体の概略構成について説明する。
【００２３】
図１、図２および図３において、１０１は装置本体、１０２はシート原稿Ｄを複数枚積載し、１枚ずつ分離・搬送するＡＤＦ（オートドキュメントフィーダ）圧板、１０３はシート原稿Ｄの表面および原稿台ガラス上のブック原稿の画像情報を読み取る画像読取装置としての画像読取部、１０４はＬＥＤアレイを使用した電子写真プリンタからなる記録装置本体、１０５は表示部・入力キー等により構成される操作部、１０６は原稿載置台、１０７は原稿台ガラス、１０８は走査ユニットとしての密着型のイメージセンサユニット、１０９は流し読みガラスである。
【００２４】
また、１１０はＬＥＤヘッドユニット、１１１は画像形成部、１１２はカセット給紙部、１１３は記録装置本体１０４の上部にシート材Ｐを複数枚積載することができるように構成された記録シート排紙部、１１４はカートリッジカバー部、１１５はＡＤＦ分離部、１１６は排紙搬送部、１１７は原稿排紙部、１１８はブック原稿を押圧する原稿押え板、１１９は画像読取部１０３と記録装置本体１０４との接合部、１２０は複写機の制御部、１２１はシート原稿搬送部、１２２は両面搬送部カバー、１２３は搬送方向切換部、１２４はレジスト搬送部、１２５は記録装置本体１０４内部に配置されたＭＰ（マルチペーパー）給紙部である。
【００２５】
まず、ブック原稿の読取について説明する。
【００２６】
ＡＤＦ圧板１０２はヒンジ部１０２ａを介して画像読取部１０３に回動可能に取り付けられている。ヒンジ部１０２ａは装置の背面側左右に各１個（左側は図示せず）配設され、ＡＤＦ圧板１０２の手前側を持ち上げることで開閉可能としている（図２、両矢印参照）。ヒンジ部１０２ａはダンパやカム、バネ部材などの組合わせによりＡＤＦ圧板１０２を所定の角度（たとえば７０°）までの開いた状態で静止させることが可能である。ＡＤＦ圧板１０２が開いた状態では原稿台ガラス１０７上に原稿をセットすることが可能になっている。
【００２７】
イメージセンサユニット１０８は発光素子としてのＬＥＤと樹脂製導光体などからなる光源手段から原稿の画像情報面に光を照射し、画像情報面で反射した反射光を結像手段としてのセルフォックレンズ（商標）で光電変換手段としての一次元センサ素子アレイに結像して画像情報を読み取るものである。
【００２８】
イメージセンサユニット１０８は図４に示すように、ガイド軸１０３ｃに沿って装置の左右方向に移動可能になっており、タイミングベルト１０３ａ、駆動プーリ１０３ｂおよび図示しない駆動モータなどにより所望の位置に移動可能である。この場合、筐体としてのキャリッジ１０３ｄを介してガイド軸１０３ｃに支持されるとともに、スプリング１０３ｅによって上方へ付勢される。イメージセンサユニット１０８と原稿台ガラス１０７の間にはスペーサ１０８ａが介挿される。イメージセンサユニット１０８はブック読取範囲開始位置１０７ａからブック読取範囲終了位置１０７ｂまでの所定の範囲の原稿台ガラス１０７上に置かれた原稿の画像を等速移動することで読み取るようになっている。
【００２９】
原稿台ガラス１０７上部に張り出したジャンプ台１０９ｂの下面には白色シート１０９ｃが配設され、イメージセンサユニット１０８の読取位置がその下部にあるときにイメージセンサユニット１０８のシェーディング補正を行う。ブックスキャンを行う場合、１回のスキャンのたびにイメージセンサユニット１０８はジャンプ台１０９ｂの下部を通過するためスキャンのたびにシェーディング補正を行うことができる。このことは光源の経時変化に応じて光量が変化する移動型のイメージセンサユニット１０８の光源の影響を減らすために有効である。
【００３０】
原稿押え板１１８は白色シート、スポンジなどを積層して構成され、原稿台ガラス１０７上に置かれた原稿の浮きを防止する。原稿押え板１１８は左端１１８ａがブック読取範囲開始位置１０７ａの左側、右端１１８ｂがブック読取範囲終了位置１０７ｂの右側まで延設されている。
【００３１】
つぎに、シート原稿Ｄの読取について説明する。
【００３２】
ＡＤＦ分離部１１５は図示しないアクチュエータにより上下動可能に配設されたピックアップローラ１１５ａ、分離ローラ１１５ｂ、分離ローラ１１５ｂに圧接され逆方向に回転するリタードローラ１１５ｃなどからなる。
【００３３】
まず、原稿載置台１０６上に表（おもて）面を上に向けて積載したシート原稿Ｄをピックアップローラ１１５ａを下げることで押圧し、分離ローラ１１５ｂおよびリタードローラ１１５ｃの間に送り込み、リタードローラ１１５ｃと圧接した分離ローラ１１５ｂで１枚ずつ分離する。つぎに、図示しない押圧バネにより押圧された分離搬送コロ１２１ａ，１２１ｂと圧接した読取搬送ローラ１２１ｃにより、原稿ガイド１２１ｄに沿ってＵターン紙パスを搬送する。
【００３４】
つぎに、流し読みガラス１０９部に搬送し、図示しない付勢バネで押圧されたシート原稿押え板１２１ｅにより、シート原稿Ｄを流し読みガラス１０９に押圧して密着させつつ、シート原稿読取位置１０９ａ上でシート原稿Ｄの表面の画像情報を読み取る。このとき、イメージセンサユニット１０８はシート原稿読取位置１０９ａに移動する。
【００３５】
つぎに、シート原稿Ｄをジャンプ台１０９ｂでＡＤＦ圧板１０２側に戻し、押圧バネにより押圧された読取搬送コロ１２１ｆと圧接した読取搬送ローラ１２１ｃによって搬送する。
【００３６】
さらに、押圧バネによって押圧された排紙コロ１１７ａと圧接した排紙ローラ１１７ｂにより原稿排紙トレイ１１７ｃに排紙するようになっている。排紙ローラ１１７ｂの上流側には読取済みスタンプ１２１ｇが配設され、シート原稿Ｄの表面に押印可能になっている。
【００３７】
原稿載置台１０６はＡＤＦ圧板１０２に固定的に配設されており、原稿載置台１０６にはシート原稿Ｄの搬送方向と直角方向（シート原稿Ｄの幅方向）にスライド可能なスライダ１０６ａが設けられている。このスライダ１０６ａによって原稿載置台１０６上に積載されたシート原稿Ｄの両サイドを揃えることができるようになっている。また、原稿載置台１０６上には原稿長さセンサ１０６ｂが配設され、セットされたシート原稿Ｄの長さを検知することができる。また、ＡＤＦ分離部１１５にはシート原稿Ｄの幅方向に複数配設された原稿幅センサ１１５ｄによってシート原稿Ｄの有無と幅を検知することができる。原稿幅センサ１１５ｄと原稿長さセンサ１０６ｂの検知出力の組合わせにより原稿サイズとセット方向を検知することができる。
【００３８】
また、シート原稿搬送部１２１には原稿給送センサ１２１ｈと原稿端センサ１２１ｉが配設されている。原稿給送センサ１２１ｈはＡＤＦ分離部１１５からシート原稿Ｄが繰り出されたかどうかや、シート原稿Ｄの後端の通過を検知する。原稿端センサ１２１ｉはシート原稿Ｄの先端および後端の通過を検知し、その出力は読取のタイミング制御に使用される。
【００３９】
さて、上述したようにイメージセンサユニット１０８において、光源により原稿を照射し、原稿からの反射光を結像光学系を介してセンサに入射させることにより原稿画像を読み取るようになっている。
【００４０】
図５は本実施の形態に係るイメージセンサユニット１０８の具体的構成例を示している。イメージセンサユニット１０８は、光源として発光素子であるＬＥＤ１０とこのＬＥＤ１０で発せられた光を原稿へと導く導光体１１を含み、結像光学系を構成するセルフォックレンズアレイ１２の両側に沿って一対の導光体光源が設けられる。なお、セルフォックレンズアレイ１２の直下に受光素子としてのセンサ１３が配設され、イメージセンサ構成部材は枠体（筐体）１４内に光源ユニットとして配置構成される。
【００４１】
ＬＥＤ１０は導光体１１の長手方向のいずれかの端部に固定されるが、図示例では一方の導光体１１の一端と他方の導光体１１の他端にそれぞれ１個設けられる。このように２つの導光体１１の間で反対側に設け、かつ中心軸Ｃに対して点対称の配置構成とする。
【００４２】
各ＬＥＤ１０から発せられた光はそれぞれの導光体１１内で反射を繰り返しながら進行することで、導光体４の全長から出射する。導光体１１から出射した光は、図６のように原稿台ガラス１０７上のブック原稿に照射され、それぞれの反射光がセルフォックレンズアレイ１２を通ってセンサ１３に入射する。
【００４３】
図７はイメージセンサユニット１０８がガイド軸１０３ｃに組み付いた状態を示す概略斜視図であり、図８は枠体１４から軸受け部材３０までの構成部材を示す概略斜視図である。
【００４４】
ここで、本発明の特徴的な構成を説明すると、イメージセンサユニット１０８の枠体１４が取付けられるキャリッジ１０３ｄは、接続部材としてのプレート２０を介して軸受け部材３０に組み付けられて、ガイド軸１０３ｃに沿って装置の左右方向に移動可能になっている。
【００４５】
軸受け部材３０には、ガイド軸１０３ｃに移動可能に取付けられる軸受け部３２と、軸受け部材３０とプレート２０とを接続する組み付け機構としてのビス４０（第１の締結部材に相当）が貫通する穴３１ａ，３１ｂと、が設けられている。
【００４６】
そして、プレート２０には、ビス４０に対するネジ穴２３ａ，２３ｂが設けられており、後述する治具により軸受け部材３０とプレート２０とは位置決めされてビス４０により締結され接続される。
【００４７】
さらに、プレート２０には、キャリッジ１０３ｄとの位置決めのためのボス２２ａ，２２ｂ（位置決め機構に相当）と、キャリッジ１０３ｄとプレート２０とを接続するビス４１（第２の締結部材に相当）のネジ穴２１ａ，２１ｂと、が設けられており、キャリッジ１０３ｄには、ボス２２ａ，２２ｂに対応する位置決め穴１８ａ，１８ｂと、ビス４１が貫通する穴１７ａ，１７ｂが設けられており、プレート２０のボス２２ａ，２２ｂがキャリッジ１０３ｄの位置決め穴１８ａ，１８ｂ（位置決め機構に相当）に嵌合して（主走査方向及び副走査方向に）位置決めされた後、ビス４１により締結されてプレート２０とキャリッジ１０３ｄとは接続される。
【００４８】
また、キャリッジ１０３ｄは、枠体１４の穴１５ａ，１５ｂ（位置決め機構に相当）にスプリング１０３ｅを介して取付けられるボス１６ａ，１６ｂ（位置決め機構に相当）が設けられている。
【００４９】
図１０は、治具５０による軸受け部材３０とプレート２０との位置決めを説明するための図である。
【００５０】
治具５０は、概略、平面板状の台５１と、台５１の端部に設けられたヒンジ部５２を介して回動可能に設けられた軸５３と、から構成されている。軸５３はガイド軸１０３ｃに相当するものであり、台５１上の軸Ｘはイメージセンサユニット１０８の主走査方向に相当するものである。したがって、軸５３が台５１上に位置する場合において、軸５３の軸心Ｙと台５１上の軸Ｘとは直交するように設けられている。
【００５１】
台５１上には、Ｘ軸と主走査方向が一致しているイメージセンサユニット１０８を取付けているキャリッジ１０３ｄの２つの位置決め穴１８ａ，１８ｂに相当する位置決め穴５４ａ，５４ｂが設けられている。
【００５２】
そして、この位置決め穴５４ａ，５４ｂにプレート２０のボス２２ａ，２２ｂが嵌合されて台５１上にプレート２０が取付けられ、軸５３に軸受け部材３０の軸受け部３２が嵌められた状態で、軸５３を台５１上に降ろして、台５１上のプレート２０と、軸５３に嵌められた軸受け部材３０とを合わせた状態で、ビス４０により接続するものである。
【００５３】
このようにして、ガイド軸１０３ｃに対して直角度が調整されてプレート２０が軸受け部材３０に組み付けられる。そして、プレート２０は、キャリッジ１０３ｄに対して位置決めされ組み付けられる。
【００５４】
したがって、メンテナンス時においては、キャリッジ１０３ｄを取り外した場合でも、再びキャリッジ１０３ｄの位置決め穴１８ａ，１８ｂをプレート２０のボス２２ａ，２２ｂに嵌合させるだけで位置決めされるので、直角度の調整が必要なくなる。
【００５５】
従来、キャリッジを取り外してしまうと、その後の組立の際に、直角度の調整が大変困難であったが、本実施の形態のように、プレート２０を介してキャリッジ１０３ｄと軸受け部材３０とを組み付けることにより、メンテナンス時の作業性・組立性を向上させることが可能となる。また、メンテナンス前後でのイメージセンサユニット１０８の位置は精度よく保持されるので、画像の幾何学的な精度を向上させることが可能となる。
【００５６】
また、本実施の形態において、軸受け部材３０とプレート２０とを接続するビス４０と、プレート２０とキャリッジ１０３ｄとを接続するビス４１とは、プレート２０に対してそれぞれ反対方向から締め付けられている。
【００５７】
すなわち、図中、ビス４０は下側から締め付けられており、ビス４１は上側から締め付けられている（図中、上側が原稿台ガラス１０７側である）。
【００５８】
したがって、メンテナンス時の原稿台ガラス１０７側からの作業において、ビス４１を外してキャリッジ１０３ｄを取り外しても、ビス４０を外すことはできないので、プレート２０が軸受け部材３０から外されることはなく、直角度は保たれることとなり、作業性・組立性を向上させることが可能となる。
【００５９】
なお、キャリッジ１０３ｄとプレート２０とを接続するビス４１が外されないと、ビス４０が外れないような位置にビス４０を配設する、たとえば、キャリッジ１０３ｄがビス４０を覆い隠すようにプレート２０に組み付けられていれば、軸受け部材３０とプレート２０とを接続するビス４０と、プレート２０とキャリッジ１０３ｄとを接続するビス４１とが、プレート２０に対して同じ方向、すなわち原稿台ガラス１０７側から締め付けられていてもよい。
【００６０】
ビス４０が原稿台ガラス１０７側から見てキャリッジ１０３ｄに隠れていれば、キャリッジ１０３ｄを取り外す時に作業者が誤ってビス４０を外すことはないので、プレート２０が軸受け部材３０から外されることはなく、直角度は保たれることとなる。
【００６１】
さらに、図９に示すように、軸受け部材３０ａに枠体１４ａを位置決めするための位置決め部としてのボス３３を設けても好適である。
【００６２】
これは、上述した軸受け部材３０及び枠体１４に対して、それぞれ、枠体１４ａを位置決めするためのボス３３と、ボス３３により位置決め嵌合される位置決め穴１９を設けたものである。
【００６３】
このように、枠体１４ａの位置決めを軸受け部材３０ａで行なうことができるので、ガイド軸１０３ｃから位置決めに関わる介在部品が最小限となり、上述した効果に加え、さらに、枠体１４ａすなわちイメージセンサユニット１０８の主走査方向の位置決めの精度を向上させることが可能となり、画像の幾何学的な精度を向上させることができる。
【００６４】
なお、上述した実施の形態においては、枠体１４にイメージセンサ構成部材が備えられた例について示したが、枠体１４が、原稿を主走査方向に線状に照明する光源手段を有する光源ユニットを備えたものであれば、光源位置の精度を向上させることができるので、画像の品質を向上させることが可能となる。
【００６５】
【発明の効果】
以上説明したように、本発明によれば、メンテナンス時においては、筐体を取り外した場合でも、筐体は接続部材に対して位置決めされており、接続部材は直角度が調整されて軸受け部材に組み付けられているので、メンテナンス終了後に再び直角度の調整をすることなく、装置を組み立てることが可能となり、メンテナンス時の作業性・組立性を向上させることが可能となる。
【００６６】
さらに、メンテナンス前後での光源ユニットの位置は精度よく保持されることとなり、画像の幾何学的な精度を向上させることが可能となる。
【図面の簡単な説明】
【図１】実施の形態に係る画像形成装置を前方から見た概略透視図である。
【図２】実施の形態に係る画像形成装置の概略斜視図である。
【図３】実施の形態に係る画像形成装置の画像読取部の拡大透視図である。
【図４】実施の形態に係る画像形成装置の画像読取部の内部構造を示す図である。
【図５】実施の形態に係るイメージセンサユニットの構成例を示す概略斜視図である。
【図６】実施の形態に係るイメージセンサユニットの構成例を示す概略断面図である。
【図７】実施の形態に係るイメージセンサユニットから軸受け部材までが組み合わさった状態を示す概略斜視図である。
【図８】実施の形態に係るイメージセンサユニットから軸受け部材までの構成部品を示す概略図である。
【図９】実施の形態に係るイメージセンサユニットから軸受け部材までが組み合わさった状態を示す概略斜視図である。
【図１０】軸受け部材とプレートを位置決めして接続するための治具を示す概略斜視図である。
【図１１】従来のイメージセンサユニットの構成例を示す図である。
【図１２】従来のイメージセンサユニットの構成例を示す図である。
【図１３】従来のイメージセンサユニットの構成例を示す図である。
【符号の説明】
１０  ＬＥＤ
１１  導光体
１２  セルフォックレンズアレイ
１３  センサ
１４，１４ａ  枠体
１５ａ，１５ｂ，１７ａ，１７ｂ  穴
１６ａ，１６ｂ，２２ａ，２２ｂ，３３  ボス
１８ａ，１８ｂ，１９，５４ａ，５４ｂ  位置決め穴
２０  プレート
２１ａ，２１ｂ，２３ａ，２３ｂ  ネジ穴
３０，３０ａ  軸受け部材
３１  穴
４０，４１  ビス
５０  治具
５１  台
５２  ヒンジ部
５３  軸
１０１  装置本体
１０２  ＡＤＦ圧板
１０３  画像読取部
１０３ｃ  ガイド軸
１０３ｄ  キャリッジ
１０３ｅ  スプリング
１０４  記録装置本体
１０５  操作部
１０６  原稿載置台
１０７  原稿台ガラス
１０８  イメージセンサユニット
１０９  流し読みガラス
１１０  ＬＥＤヘッドユニット
１１１  画像形成部
１１２  カセット給紙部
１１３  記録シート排紙部
１１４  カートリッジカバー部
１１５  ＡＤＦ分離部
１１６  排紙搬送部
１１７  原稿排紙部
１１８  原稿押え板
１２０  制御部
１２１  シート原稿搬送部
１２２  両面搬送部カバー
１２３  搬送方向切換部
１２４  レジスト搬送部
１２５  ＭＰ給紙部
【図１】
0004366019.tif 000002
【図２】
0004366019.tif 000003
【図３】
0004366019.tif 000004
【図４】
0004366019.tif 000005
【図５】
0004366019.tif 000006
【図６】
0004366019.tif 000007
【図７】
0004366019.tif 000008
【図８】
0004366019.tif 000009
【図９】
0004366019.tif 000010
【図１０】
0004366019.tif 000011
【図１１】
0004366019.tif 000012
【図１２】
0004366019.tif 000013
【図１３】
0004366019.tif 000014